【事件の表示】
　特願２０１３−　４５１５９「通信カラオケシステム」拒絶査定不服審判事件〔平成２５年　７月１１日出願公開、特開２０１３−１３７５７０〕について、次のとおり審決する。
【結　論】
　本件審判の請求は、成り立たない。
【理　由】
１．手続の経緯
 　本願は、２００８年７月１日に出願した特願２００８−１７２８１２号の一部を平成２５年３月７日に特願２０１３−４５１５９号として新たな特許出願をしたものであって、平成２５年４月１日付けで手続補正がなされ、平成２６年４月１日付けの拒絶理由の通知に対し、同年６月１０日付けで手続補正がなされ、同年６月２６日付けの拒絶理由の通知に対し、同年８月１２日付けで手続補正がなされたが、同年１０月７日付けで拒絶査定がなされた。これに対し、同年１２月２４日に拒絶査定不服審判の請求がなされたものである。  
  
２．本願発明
　本願の請求項１ないし２に係る発明のうち、請求項１に係る発明（以下、「本願発明」という。）は、平成２６年８月１２日付け手続補正書の特許請求の範囲の請求項１に記載された次のとおりのものである。
「【請求項１】
　カラオケ演奏に用いられる楽曲データを、楽曲毎の曲目ＩＤに対応付けて記憶する第１の記憶手段と、
　通信回線を介して接続された第１のカラオケ端末において前記楽曲データの再生に応じて録音された第１のカラオケ用データを、前記通信回線を介して送信する第１のカラオケ用データ送信手段と、
　前記第１のカラオケ用データを含むレコードを、前記曲目ＩＤに対応付けて複数記憶可能な第２の記憶手段と、
　前記第２の記憶手段に記憶された１又は複数の前記第１のカラオケ用データを選択可能に公開する公開手段と、
　前記公開手段によって選択可能に公開された１又は複数の前記第１のカラオケ用データを選択する選択手段と、
　通信回線を介して接続された第２のカラオケ端末への、前記選択手段によって選択された前記第１のカラオケ用データの送信を要求する送信要求手段と、
　前記第１のカラオケ用データの送信要求に応じて、前記選択手段によって選択された前記第１のカラオケ用データを、前記第２のカラオケ端末に送信する第２のカラオケ用データ送信手段と、
　前記第２のカラオケ用データ送信手段によって送信された前記第１のカラオケ用データを視聴させる視聴手段と、
　前記視聴手段によって視聴された前記第１のカラオケ用データを、前記第２のカラオケ端末にて再生する再生手段と、
　前記第２のカラオケ端末において前記楽曲データ及び前記第１のカラオケ用データの、前記再生手段による再生に応じて録音された第２のカラオケ用データを含む新たなレコードを、前記曲目ＩＤに関連付けて前記第２の記憶手段に記憶させる記憶制御手段と、
を有することを特徴とする通信カラオケシステム。」
３．引用例
（１）平成２６年６月２６日付け拒絶理由通知で引用した特開２００１−４２８７８号公報（以下、「引用文献１」という。）には、「プレイヤー参加型通信カラオケシステム」について、図面とともに以下の事項が記載されている。なお、下線は当審で付与した。
ア．「【特許請求の範囲】【請求項１】
複数のカラオケ情報をリクエストに応じてダウンロード可能に保持するデータベース（１）と、公衆通信回線（２）を介してデータベース（１）に接続され、所要のカラオケ情報をリクエストし得る端末機（３）とからなる通信カラオケシステムにおいて、
データベース（１）側に、端末機（３）からアップロードされたプレイヤーの歌唱情報がリクエストに応じてダウンロード可能に記録される歌唱情報メモリ（１１（当審注：１２の誤記））が設けられ、
端末機（３）側に、プレイヤーの歌声を記録する歌唱情報メモリ（３２）が設けられ
端末機（３）側の歌唱情報メモリ（３２）に記録された歌唱情報がデータベース（１）にアップロードされてデータベース（１）側の歌唱情報メモリ（１１（当審注：１２の誤記））に記録され、端末機（３）からカラオケ情報及びそのカラオケ情報に対応する歌唱情報のリクエストがあったときにカラオケ情報と共に、対応する歌唱情報がダウンロードされ、歌唱情報がカラオケ情報と共に端末機（３）で再生されるプレイヤー参加型通信カラオケシステム
イ．「【０００１】【発明の属する技術分野】本発明は、一人でもデュエットでカラオケで楽しむことができるプレイヤー参加型通信カラオケシステムに関する。」
「【０００４】【発明が解決しようとする課題】本発明は上記の問題点を解決するためになされたものであり、その
目的は、予め登録されているが、その場には居合わせない様々な人の中から選んだ人の歌声を相手にデュエット曲を楽しめるようにすること
他の目的は、全てのプレイヤーが、自己の歌唱を広くカラオケシステムの他のメンバーに提供し、利用してもらえるようにすること
「【０００６】プレイヤーが歌唱情報を選択する手がかりとなる紹介情報としては、芸名又はニックネーム、性別、年齢、職業、コメント、顔写真、歌の腕前やリクエスト実績などが挙げられる。これらの
紹介情報は、その一部又は全部を一覧表の形式にして随時閲覧できるようにし、その表示を見ながら所望のデュエット相手を選べるようにすることが推奨される
ウ．「【０００７】【発明の実施の形態】以下、図面により本発明を詳細に説明する。
図１は本発明にかかるプレイヤー参加型通信カラオケシステムの一実施例の主要構成を示すダイヤグラムである
データベース１は、ＣＰＵ１０と、カラオケ情報メモリ１１と、歌唱情報メモリ１２とを具備する
【０００８】ＣＰＵ１０は、データベース１全体の作動を制御し、カラオケ情報メモリ１１及び歌唱情報メモリ１２はデータバスを介してＣＰＵ１０に接続されている。
カラオケ情報メモリ１１には、後述の端末機３のリクエストに応じ、所要のカラオケ情報をダウンロードし得るよう多数のカラオケ情報が記録されている。このカラオケ情報は、音楽情報、歌詞情報及び背景画像情報からなる
カラオケ情報メモリ１１に記録されているカラオケ情報のうち、デュエット曲に関するものは、例えば、その曲が男女二人で歌われるものであれば、歌唱情報なし、男性プレイヤー用、女性プレイヤー用というように、三種類のカラオケ情報が用意され、それぞれ異なる曲名コードが割り当てられている
【０００９】歌唱情報なしのものは、通常のデュエット用カラオケ情報であり、二名のプレイヤーによるプレイに対応するものである。また、男性プレイヤー用のものは、女性のみが歌唱する部分の歌詞が、反対に女性プレイヤー用のものは、男性のみが歌唱する部分の歌詞の情報が除去されており、一名のプレイヤーでデュエットを楽しむ場合に、リクエストを行った者が歌唱する歌詞のみが表示されるようになっている。
歌唱情報メモリ１２は、プレイヤーの紹介情報及び歌唱情報を記録し得るものである。
「【００１１】
端末機３は、ＣＰＵ３０と、カラオケ情報メモリ３１と、歌唱情報メモリ３２と、モニター３３と、スピーカー３４と、マイク３５とを具備する
端末機３は、カラオケ情報のリクエストや再生などに必要な図示しない従来公知の構成要素を有する
【００１２】
カラオケ情報メモリ３１は、端末機３からリクエストされ、データベース１からダウンロードされたカラオケ情報、及び、カラオケ情報と共に歌唱情報がダウンロードされたときには、歌唱情報を記録する
歌唱情報メモリ３２は、プレイヤーの歌唱を記録する
モニター３３は、リクエストに必要な画面と、カラオケ情報メモリ３１に記録された背景画像情報に、歌詞情報を重畳して再生表示する
エ．「【００１３】以下、上記のプレイヤー参加型通信カラオケシステムの作動について説明する。まず、
プレイヤーが自分の歌唱情報の登録する場合は、リクエスト可能なカラオケ曲リストの中から所望のデュエット曲の、歌唱しようとする側のプレイヤー用のカラオケ情報を選択し、データベース１にリクエストする
【００１４】
ダウンロードされたカラオケ情報は、端末機３のカラオケ情報メモリ３１に記録される
歌唱登録モードでカラオケ情報を再生させる。音楽及び画像が再生され、カラオケ曲の進行に合わせてプレイヤーがマイク３５に向かって歌唱すると、歌唱情報は、ＣＰＵ１を経由してスピーカー３４により再生されると共に、歌唱情報メモリ３２に記録される
【００１５】アップロードが指示されると、
歌唱情報メモリ３２に記録されている歌唱情報は端末機３に内臓されている図示しない圧縮ソフトにより圧縮され、通信回線２を介してデータベース１にアップロードされる
歌唱情報と共に、デュエット曲の曲名情報及びプレイヤーのＩＤコードもアップロードされる。アップロードされた歌唱情報は、歌唱情報と共にアップロードされてきたＩＤコードに基づき、歌唱情報のプレイヤーが特定され、該当するプレイヤーの紹介情報に対応するよう歌唱情報メモリ１２に圧縮された状態で記録され、データベース１に登録される。この歌唱情報は、プレイヤー別及び曲別又はジャンル別などで検索できるようになっている
【００１６】次に、登録されている歌唱情報の利用方法について説明する。登録されている歌唱情報を利用するには、
デュエット曲から所望のプレイヤーの歌唱情報を選択する方法
プレイヤーは、リクエスト可能なカラオケ曲リストの中から、歌唱しようとする側のプレイヤー用のカラオケ情報を選択し、データベース１にリクエストする
【００１７】データベース１は、
リクエストされた曲名のＩＤコードに基づき、歌唱情報メモリ１２から、該当するＩＤコードが付された歌唱情報が登録されているプレイヤーの紹介情報を検索し、端末機３にダウンロードする
端末機３のモニター３３には、リクエストしたデュエット曲に対応する歌唱情報を登録した全プレイヤーのプロフィールが表示
プレイヤーは、その内容を検討して所望の相手プレイヤーを選択する。相手プレイヤーを選択すると、その選択情報がデータベース１に送信され、リクエストしたカラオケ情報、及び、そのカラオケ情報に対応する、所望のプレイヤーの歌唱情報が端末機３にダウンロード
【００１８】
ダウンロードされたカラオケ情報及び歌唱情報は、カラオケ情報メモリ３１に記録され、全ての情報のダウンロード終了後、プレイヤーがカラオケ情報の再生を指令すると、カラオケ情報と共に、歌唱情報が再生され、スピーカー３４からは、カラオケの伴奏と共に、デュエット相手の歌声が再生される
　上記の記載事項から以下のことがいえる。 
・上記アの記載、上記ウの段落【０００７】の「データベース１は、ＣＰＵ１０と、カラオケ情報メモリ１１と、歌唱情報メモリ１２とを具備する。」及び図１によれば、引用文献１には、複数のカラオケ情報をリクエストに応じてダウンロード可能に保持するデータベース（１）と、公衆通信回線（２）を介してデータベース（１）に接続され、所要のカラオケ情報をリクエストし得る端末機（３）とからなる通信カラオケシステムにおいて、データベース１側に、カラオケ情報が記録されたカラオケ情報メモリ１１と、端末機３からアップロードされたプレイヤーの歌唱情報がリクエストに応じてダウンロード可能に記録される歌唱情報メモリ１２が設けられ、端末機３側に、プレイヤーの歌声を記録する歌唱情報メモリ３２が設けられる点が記載されている。
・上記イの記載によれば、通信カラオケシステムは、予め登録されているが、その場には居合わせない様々な人の中から選んだ人の歌声を相手にデュエット曲を楽しめるようにするプレイヤー参加型通信カラオケシステムであり、プレイヤーが歌唱情報を選択する手がかりとなる紹介情報は、その一部又は全部を一覧表の形式にして随時閲覧できるようにし、その表示を見ながら所望のデュエット相手を選べるようにすることが推奨されている。
・上記ウの段落【０００８】の記載によれば、カラオケ情報メモリ１１に記録されるカラオケ情報は、音楽情報、歌詞情報及び背景画像情報からなり、カラオケ情報メモリ１１に記録されているカラオケ情報のうち、デュエット曲に関するものは、例えば、その曲が男女二人で歌われるものであれば、歌唱情報なし、男性プレイヤー用、女性プレイヤー用というように、三種類のカラオケ情報が用意され、それぞれ異なる曲名コードが割り当てられている。また、段落【０００９】の記載によれば、歌唱情報メモリ１２は、プレイヤーの紹介情報及び歌唱情報を記録し得るものである。
・上記ウの段落【００１１】の端末機３に関する記載によれば、端末機３は、ＣＰＵ３０と、カラオケ情報メモリ３１と、プレイヤーの歌声を記録する歌唱情報メモリ３２と、さらに、モニター３３と、スピーカー３４と、マイク３５と、カラオケ情報のリクエストや再生などに必要な従来公知の構成要素を有する。
  
・上記エの段落【００１３】〜【００１５】には、データベース１側の歌唱情報メモリ１２にアップロードされる歌唱情報について記載されている。
　リクエストのあったデュエット曲のカラオケ情報の再生に合わせてプレイヤーがマイクに向かった歌唱が、端末機３側のプレイヤーの歌声を記録する歌唱情報メモリ３２に記録され、この歌唱情報が、公衆通信回線２を介してデータベース１側の歌唱情報メモリ１２にアップロードされ記録される。その際、歌唱情報と共に、デュエット曲の曲名情報及びプレイヤーのＩＤコードもアップロードされ、データベース１に登録される。この歌唱情報は、プレイヤー別及び曲別又はジャンル別などで検索できるようになっている。
・上記エの段落【００１６】〜【００１８】には、データベース１に登録されているプレイヤーの歌唱情報を利用する方法が記載されている。
　プレイヤーが、歌唱しようとするカラオケ情報を選択し、データベース１にリクエストすると、データベース１は、リクエストされた曲名のＩＤコードに基づき、歌唱情報メモリ１２から、該当するＩＤコードが付された歌唱情報が登録されているプレイヤーの紹介情報を検索し、リクエストしたデュエット曲に対応する歌唱情報を登録した全プレイヤーのプロフィールが端末機３のモニター３３に表示され、所望の相手プレイヤーを選択すると、その選択情報がデータベース１に送信され、リクエストしたカラオケ情報、及び、そのカラオケ情報に対応する、所望のプレイヤーの歌唱情報が端末機３にダウンロードされる。ダウンロードされたカラオケ情報及び歌唱情報は、端末機３側のカラオケ情報メモリ３１に記録され、プレイヤーの再生指令により、カラオケ情報と共に、歌唱情報が再生され、スピーカー３４からは、カラオケの伴奏と共に、デュエット相手の歌声が再生され、プレイヤーはデュエットを楽しむことができる。　
　そうすると、引用文献１には、次の発明が記載されているものと認められる（以下「引用発明」という）。 
「複数のカラオケ情報をリクエストに応じてダウンロード可能に保持するデータベース（１）と、公衆通信回線（２）を介してデータベース（１）に接続され、所要のカラオケ情報をリクエストし得る端末機（３）とからなる通信カラオケシステムにおいて、
　データベース（１）側に、カラオケ情報が記録されたカラオケ情報メモリ（１１）と、端末機（３）からアップロードされたプレイヤーの歌唱情報がリクエストに応じてダウンロード可能に記録される歌唱情報メモリ（１２）が設けられ、
　カラオケ情報の再生に合わせて歌唱したプレイヤーの歌唱情報が、端末機（３）側のプレイヤーの歌声を記録する歌唱情報メモリ（３２）に記録され、歌唱情報メモリ（３２）から公衆通信回線（２）を介してアップロードされてデータベース（１）側の歌唱情報メモリ（１２）に記録され、
　端末機（３）からリクエストがあったときには、リクエストされた曲名のＩＤコードに基づき、歌唱情報メモリ（１２）から該当するＩＤコードが付された歌唱情報が登録されているプレイヤーの紹介情報を検索し、リクエストしたデュエット曲に対応する歌唱情報を登録した全プレイヤーの紹介情報がダウンロードされて、端末機（３）のモニター（３３）に表示され、
　モニター（３３）に表示された全プレイヤーから所望の相手プレイヤーを選択すると、
　選択情報がデーターベース（１）に送信され、
　データベース（１）からカラオケ情報と共に、対応する相手プレイヤーの歌唱情報が端末機（３）にダウンロードされ、
　ダウンロードされたカラオケ情報及び歌唱情報は、端末機（３）のカラオケ情報メモリ（３１）に記録され、
　プレイヤーの再生指令により、カラオケ情報と共に、歌唱情報が再生され、スピーカー（３４）からは、カラオケの伴奏と共に、デュエット相手の歌声が再生され、プレイヤーはデュエットを楽しむことができる通信カラオケシステム。」
（２）また、平成２６年６月２６日付け拒絶理由通知で引用した特開２００７−２６５５２２号公報の「再生録音装置」（以下、「引用文献２」という。）には、図面とともに以下の事項が記載されている。なお、下線は当審で付与した。
オ．「【背景技術】【０００２】 近年、
インターネットを介して、利用者自身が演奏した演奏データのファイルを交換し、互いに合奏するシステムが提案されている
【０００３】このようなシステムは、以下のように利用される。
インターネット上のサーバに、ある演奏者が演奏した演奏データファイルがアップロードされている。他の演奏者がこのファイルをダウンロードして再生する。そして、この再生に合わせて自分も演奏し、この自分の演奏を録音した演奏データファイルを、改めてサーバにアップロードする。
【非特許文献１】“MP3 レコーダー ヤマハ SoundSketcher”、［online］、ヤマハ株式会社、［平成１８年３月２２日検索］、インターネット＜URL：http://www.yamaha.co.jp/sskt/＞ http://www.yamaha.co.jp/sskt/」
「【００１１】この発明は、前記
再生手段が再生するデジタルオーディオデータは、インターネットを介してサーバからダウンロードされた演奏データファイルである
【００１２】この発明は、前記
補正された録音データは、インターネットを介して前記サーバにアップロードされる
【００１３】この発明は、前記
録音データは、前記演奏データファイルにマージされたのち、このマージされたデータが前記サーバにアップロードされる
「【００１９】利用者は、上記構成のパーソナルコンピュータ３を利用して、楽曲の再生や録音を行う。まず、
利用者は、インターネット２を介してサーバ１から他者が録音したオーディオデータファイルである演奏データファイル１００をダウンロードする。そして、この演奏データファイル１００を再生ファイルとしてパーソナルコンピュータ３で再生しながら、これに合わせて自分自身も楽器を演奏し、この演奏を録音する
【００２０】たとえば、このパーソナルコンピュータ３の
利用者はギターの演奏者であり、サーバ１に記憶されている演奏データファイルは、ある楽曲のドラムパートの演奏を録音した演奏データファイルである。利用者は、パーソナルコンピュータ３で演奏データファイルを再生して、そのドラム演奏を聴きながら、これに合わせてギターを演奏し、この演奏をパーソナルコンピュータ３に録音させる
【００２１】パーソナルコンピュータ３は、マイク８から入力され、オーディオ入力部５でデジタル信号に変換された楽音を再生ファイル（演奏データファイル１００）の再生と同期して録音する。再生・録音の動作が終了すると、この録音したオーディオデータを生録音ファイルとして保存する。
【００２２】再生ファイルの再生動作は再生部３２が実行し、生録音ファイルの録音動作は録音部３３が実行する。この再生動作と録音動作の同期スタートは同期編集部３４によって制御される。
【００２３】こののち、同期編集部３４が、今回録音された生録音ファイルを、インターネット２を経由してサーバ１からダウンロードされた演奏データファイル１００（再生ファイル）に完全に同期させるための同期補正処理を実行する。」
「【００３４】上記処理で作成された
補正後録音ファイルを、サーバ１からダウンロードした再生ファイルにマージしたデジタルオーディオファイルを作成し、これを演奏データファイル１００として、改めてサーバ１にアップロードするようにしてもよい
　上記オによれば、引用文献２には、「利用者は、インターネット２を介してサーバ１から他者が録音したオーディオデータファイルである演奏データファイル１００をダウンロードし、この演奏データファイル１００を再生ファイルとしてパーソナルコンピュータ３で再生しながら、これに合わせて自分自身も楽器を演奏し、この演奏をパーソナルコンピュータ３に録音させ、（この録音ファイルを再生ファイルに完全同期させるための同期補正処理を行い）、この（補正された）録音データを、サーバ１からダウンロードした再生ファイルにマージしたデジタルオーディオファイルを作成し、これを演奏データファイル１００として、改めてサーバ１にアップロードする」という技術事項が記載されている。  
４．対比・判断 
　そこで、本願発明と引用発明とを対比する。 
ａ．本願発明と引用発明の「カラオケ」は共通する。
　引用発明の「公衆通信回線」「端末機（３）」は、それぞれ本願発明の「通信回線」「カラオケ端末」に相当する。
　引用発明の、複数のカラオケ情報をリクエストに応じてダウンロード可能に保持するデータベース（１）と、公衆通信回線（２）を介してデータベース（１）に接続され、所要のカラオケ情報をリクエストし得る端末機（３）とからなる「通信カラオケシステム」は、本願発明の「通信カラオケシステム」に相当する。
ｂ．引用発明の「カラオケ情報」は、上記ウ．の段落【０００８】に記載されているように、音楽情報、歌詞情報及び背景画像情報からなるカラオケの情報であり、本願発明の「カラオケ演奏に用いられる楽曲データ」に相当する。
　引用発明の「カラオケ情報メモリ（１１）」は、カラオケ情報を記録するメモリであり、本願発明の「カラオケ演奏に用いられる楽曲データ」を記憶する「第１の記憶手段」に相当する。
　また、引用発明では、「端末機（３）からリクエストがあったときには、リクエストされた曲名のＩＤコードに基づき、歌唱情報メモリ（１２）から該当するＩＤコードが付された歌唱情報が登録されているプレイヤーの紹介情報を検索し」ていることから、引用発明の「カラオケ情報」と「歌唱情報」は、曲名のＩＤコードに対応付けられており、本願発明の「楽曲毎の曲目ＩＤに対応付けて」記憶することに相当する。
ｃ．引用発明の「カラオケ情報の再生に合わせて歌唱したプレイヤーの歌唱情報が、端末機（３）側のプレイヤーの歌声を記録する歌唱情報メモリ（３２）に記録され、歌唱情報メモリ（３２）から公衆通信回線（２）を介してアップロードされてデータベース（１）側の歌唱情報メモリ（１２）に記録」の事項は、端末機（３）においてカラオケ情報の再生に合わせて記録されたプレイヤーの歌唱情報を、データベース（１）へ、端末機（３）が公衆通信回線（２）を介して送信したことにあたり、本願発明の「通信回線を介して接続された第１のカラオケ端末において楽曲データの再生に応じて録音された第１のカラオケ用データを、通信回線を介して送信する第１のカラオケ用データ送信手段」に相当する。
　そして、引用発明の「カラオケ情報」の再生に合わせて歌唱した「プレイヤーの歌唱情報」は、端末機（３）側の歌唱情報メモリ（３２）に記録され、さらに公衆通信回線（２）を介してアップロードされてデータベース（１）側の歌唱情報メモリ（１２）に記録されることから、本願発明の、楽曲データの再生に応じて録音された「第１のカラオケ用データ」に相当する。
ｄ．引用発明の「端末機（３）からアップロードされたプレイヤーの歌唱情報がリクエストに応じてダウンロード可能に記録される歌唱情報メモリ（１２）」の「歌唱情報メモリ（１２）」は、「プレイヤーの歌唱情報」を記録する点で、本願発明の「第１のカラオケ用データ」を含むレコードを複数記憶可能な「第２の記憶手段」に相当する。
　そして、引用発明の「歌唱情報メモリ（１２）」には、上記ｂ．に既述したように、歌唱したプレイヤーの歌唱情報が、曲名のＩＤコードが付されて登録されているから、本願発明の、「曲目ＩＤに対応付けて複数記憶可能な第２の記憶手段」に相当する。
ｅ．引用発明の「端末機（３）からリクエストがあったときには、リクエストされた曲名のＩＤコードに基づき、歌唱情報メモリ（１２）から該当するＩＤコードが付された歌唱情報が登録されているプレイヤーの紹介情報を検索し、リクエストしたデュエット曲に対応する歌唱情報を登録した全プレイヤーの紹介情報がダウンロードされて、端末機（３）のモニター（３３）に表示」の事項は、「歌唱情報メモリ（１２）」に記録された「プレイヤーの歌唱情報」が選択されるように、対応する歌唱情報の全プレイヤーの紹介情報を「端末機（３）」のモニター３３が表示することは、本願発明の「第２の記憶手段に記憶された１又は複数の第１のカラオケ用データを選択可能に公開する公開手段」に相当する。
ｆ．引用発明の「モニター（３３）に表示された全プレイヤーから所望の相手プレイヤーを選択」の事項は、相手プレイヤーが選択されることにより、全プレイヤーの「歌唱情報」から１つの相手プレイヤーの「歌唱情報」が、「端末機（３）」において選択されたことにあたり、本願発明の「公開手段によって選択可能に公開された１又は複数の第１のカラオケ用データを選択する選択手段」に相当する。
ｇ．引用発明の「選択情報がデータベース（１）に送信され」の事項は、「端末機（３）」が選択された相手プレイヤーの「歌唱情報」を要求したことにあたり、本願発明の「通信回線を介して接続された第２のカラオケ端末への、選択手段によって選択された第１のカラオケ用データの送信を要求する送信要求手段」に相当する。
ｈ．引用発明の「データベース（１）からカラオケ情報と共に、対応する相手プレイヤーの歌唱情報が端末機（３）にダウンロード」の事項は、「要求する端末機（３）」に、相手プレイヤーの「歌唱情報」を、データベース（１）が送信することにあたり、本願発明の「第１のカラオケ用データの送信要求に応じて、選択手段によって選択された第１のカラオケ用データを、第２のカラオケ端末に送信する第２のカラオケ用データ送信手段」に相当する。
ｉ．引用発明の「ダウンロードされたカラオケ情報及び歌唱情報は、端末機（３）のカラオケ情報メモリ（３１）に記録され、プレイヤーの再生指令により、カラオケ情報と共に、歌唱情報が再生され、スピーカー（３４）からは、カラオケの伴奏と共に、デュエット相手の歌声が再生され、プレイヤーはデュエットを楽しむことができる」の事項は、リクエストした「端末機（３）」において、「カラオケ情報」と相手プレイヤーの「歌唱情報」とを再生し、「カラオケ情報」と「歌唱情報」の再生により、プレイヤーはデュエットを楽しむことができる」点において、本願発明の「第２のカラオケ用データ送信手段によって送信された第１のカラオケ用データを、第２のカラオケ端末にて再生する再生手段と、第２のカラオケ端末において楽曲データ及び第１のカラオケ用データの、再生手段による再生」に相当する。
　したがって、本願発明と引用発明とは、以下の点で一致ないし相違している。
（一致点） 
 「カラオケ演奏に用いられる楽曲データを、楽曲毎の曲目ＩＤに対応付けて記憶する第１の記憶手段と、
　通信回線を介して接続された第１のカラオケ端末において前記楽曲データの再生に応じて録音された第１のカラオケ用データを、前記通信回線を介して送信する第１のカラオケ用データ送信手段と、
　前記第１のカラオケ用データを含むレコードを、前記曲目ＩＤに対応付けて複数記憶可能な第２の記憶手段と、
　前記第２の記憶手段に記憶された１又は複数の前記第１のカラオケ用データを選択可能に公開する公開手段と、
　前記公開手段によって選択可能に公開された１又は複数の前記第１のカラオケ用データを選択する選択手段と、
　通信回線を介して接続された第２のカラオケ端末への、前記選択手段によって選択された前記第１のカラオケ用データの送信を要求する送信要求手段と、
　前記第１のカラオケ用データの送信要求に応じて、前記選択手段によって選択された前記第１のカラオケ用データを、前記第２のカラオケ端末に送信する第２のカラオケ用データ送信手段と、
　前記第１のカラオケ用データを、前記第２のカラオケ端末にて再生する再生手段と、
　を有し、
　前記第２のカラオケ端末において前記楽曲データ及び前記第１のカラオケ用データの、前記再生手段による再生ができる通信カラオケシステム。」 
（相違点１）
　本願発明は、「第２のカラオケ用データ送信手段によって送信された第１のカラオケ用データを視聴させる視聴手段を有し、視聴手段によって視聴された第１のカラオケ用データを、第２のカラオケ端末にて再生する」のに対して、引用発明は、「第２のカラオケ用データ送信手段によって送信された第１のカラオケ用データを、プレイヤーの再生指令により、再生され」るものの「視聴」させる視聴手段を有していない点。
（相違点２）
　本願発明は、「第２のカラオケ端末において楽曲データ及び第１のカラオケ用データの、再生手段による再生に応じて録音された第２のカラオケ用データを含む新たなレコードを、曲目ＩＤに関連付けて第２の記憶手段に記憶させる記憶制御手段を有する」のに対して、引用発明は、「再生（に応じてデュエット（合唱））することができる」ものの、録音された新たなレコードを改めてアップロードして保存する構成は有していない点。
　そこで、上記各相違点について検討する。
・相違点１について
　まず、本願発明の「視聴」の技術的意義について検討する。
　本願明細書には、「視聴手段」についての具体的な記載はない。また、「視聴」については、定義に関する記載はないものの、以下の点が記載されている。なお、下線は当審で付与した。
「【図６】本発明の第２の実施の形態における合唱または合奏を
視聴
「【００１１】この開示発明によれば、通信回線を介してカラオケ曲ＤＢの楽曲データを配布するのみならず、カラオケ端末Ａの利用者からサーバに登録された、歌または演奏等が記録されたカラオケ用データをカラオケ端末Ｂに送信することにより、当該カラオケ端末Ｂの利用者が
視聴
「【００２１】以下、通信カラオケシステムにおける
（１）最初に合唱または合奏する場合；
（２）合唱または合奏を
視聴
（３）２番目以降に合唱または合奏を追加する場合；
（４）サーバに登録されているカラオケ用データを削除する場合；
（５）サーバに登録されているカラオケ用データを変更する場合；の各動作を、各実施の形態において説明する。」
「【００３４】［第２の実施の形態］
  本実施の形態では、情報管理ＤＢ１２０に登録された合唱データのカラオケ用データを
視聴
【００３５】図６は、本発明の第２の実施の形態における合唱または合奏を
視聴
【００３６】ステップ２０１）  カラオケ端末２００の利用者は、
視聴
（中略）
【００４２】ステップ２０７）  これにより、カラオケ端末２００において、当該カラオケ用データを再生し、
視聴
【００４３】［第３の実施の形態］
  前述の第１の実施の形態では、最初に情報管理ＤＢ１２０に合唱データを登録する例を示したが、本実施の形態では、２番目以降に合唱データを追加する場合の処理について説明する。
【００４４】以下に示す動作は、情報管理ＤＢ１２０に合唱データを登録したカラオケ端末Ａとは別の場所にあるカラオケ端末Ｂが、端末Ａによって登録されている合唱データを
視聴
「【００５２】ステップ３０７）  カラオケ端末２００の利用者は、取得したカラオケ用データを
視聴
【００５３】ステップ３０８）  カラオケ端末２００の利用者は、
視聴
【００５４】ステップ３０９）  カラオケ端末２００において、取得したカラオケ用データを再生しながら、決定したパートに対し、歌を歌うまたは、演奏し、同時に録音し、新たなカラオケ用データとする。」
「【００８１】ステップ５０７）  カラオケ端末２００の利用者は、取得したカラオケ用データを
視聴
【００８２】ステップ５０８）  カラオケ端末２００の利用者は、
視聴
【００８３】ステップ５０９）  カラオケ端末２００において、取得したカラオケ用データを再生しながら、変更する歌を歌うまたは、演奏し、同時に録音し、変更カラオケ用データとする。」  
　上記記載からみて、視聴手段が「視聴」させるのは「カラオケ用データ」であり、より具体的には「合唱データまたは合奏データ」である。そして、カラオケ端末に表示されたカラオケ用データ番号のリストから、利用者が所望のカラオケ用データを選択することにより、当該カラオケ用データに対応するカラオケ用データ番号と曲目ＩＤの組を合唱データ要求としてサーバに送信し、サーバは、当該合唱データ要求を受信すると、情報管理ＤＢを検索し、カラオケ用データ番号に対応するカラオケ用データをカラオケ端末に送信し、カラオケ端末において、当該カラオケ用データを再生して、視聴させるものであり、視聴によりカラオケ用データを決定するものである。
　そうすると、本願発明の「視聴」とは、利用者がカラオケ用データ、より具体的には「合唱データまたは合奏データ」を選択して決定する際に、決定前に視聴により「合唱データまたは合奏データ」を確認するものであるから、カラオケ装置やカラオケシステムにおいて、一般的には、「試聴」と呼ばれているものと同義のものと解される。
　ここで、カラオケ装置やカラオケシステムにおいて、利用者がカラオケ用データのリストから、所望のカラオケ用データの選択に際して、選択したカラオケ用データについて、決定（確定）前に、歌や演奏等を確認する「試聴」手段を備えること、さらに「試聴」した上で予約や再生を行うことは、
　拒絶査定時に周知文献として提示した特開２００８−５１８９６号公報（以下、「周知文献１」という。）の「【００３７】ミックスダウン制御部２１は、録音音声ファイルデータベース２８から抽出された録音音声ファイルのファイル名の一覧をパーソナルコンピュータ１８に提供し、このファイル名の一覧から合成対象とするものを、パーソナルコンピュータ１８のユーザにより指定させる。ここで、指定された録音音声ファイルについての
試聴
【００３８】この音楽データの送信に対して、ミックスダウン制御部２１は、選択確定の指示がパーソナルコンピュータ１８から入力されると、この録音音声ファイルを合成対象として確定する（ステップＢ４、Ｙｅｓ）。
【００３９】ここで、録音音声ファイルの選択終了が指示されなければ（ステップＢ５、Ｎｏ）、ミックスダウン制御部２１は、前述と同様にして、ファイル内の一覧から合成対象とするものをユーザによって指定させる。以上の処理を繰り返して実行することで、ユーザは、任意の数の録音音声ファイルを指定することができる。ここでは、ユーザは、音声ミックスダウンサーバ１０の録音音声ファイルデータベース２８に記憶された録音音声ファイルを
試聴
　特開２００６−１８１５６号公報（以下、「周知文献２」という。）の「【００４７】次に、図５および図６を参照して上述したカラオケ装置１の動作について説明する。図５は、カラオケ装置１における操作画面であり、図６は、カラオケ装置１のコンピュータ１０が実行する処理を示すフローチャートである。このフローチャートに示す処理では、まず歌唱者により選曲が行われ、その曲の最高得点を取得し歌唱がカラオケサーバに記録されている場合には、その歌唱記録を
試聴
　特開２００４−２０５８８９号公報（以下、「周知文献３」という。）の「【０００１】この発明は、利用者が希望曲を検索して演奏予約する方式に関し、とくに、利用者が検索した複数の楽曲の一部を
試聴
　特開平１０−３１９９７７号公報（以下、「周知文献４」という。）の「【００３０】（中略）最後まで再生動作を終了すると、あらためて楽曲番号の操作入力を待つ（Ｓ１００・ＹＥＳ→Ｓ１０）。このとき、
試聴
試聴
【００３４】また、試聴端末で歌いたい楽曲の歌唱音声を伴奏音楽とともに
試聴
　に例示されるように周知の技術事項である。
　そして引用発明は、「端末機からリクエストがあったときには、歌唱情報メモリからリクエストに対応する歌唱情報が登録された全プレイヤーの紹介情報が端末機のモニターに表示され、表示された対応する歌唱情報の全プレイヤーの紹介情報から、所望の相手プレイヤーを選択」するものであるから、全プレイヤーの紹介情報から所望のプレイヤーの歌唱情報を選択する際に、歌唱情報の選択誤りを回避しようと、歌や演奏等を確認するために、試聴手段を用いることは容易に推察できることである。
　してみれば、引用発明において、所望のカラオケ用データの選択に際して、カラオケ用データについて歌や演奏等を確認するために、選択した曲の再生開始前に、端末機において、カラオケ用データ送信手段によって送信された、カラオケ情報及びプレイヤーの歌唱情報（第１のカラオケ用データ）を試聴させる試聴手段を設けて、カラオケ情報及びプレイヤーの歌唱情報（第１のカラオケ用データ）を試聴して選択誤りを回避することは、当業者が容易になし得ることである。
　なお、本願発明の「視聴」については、上記のように、本願明細書の記載から、「合唱データまたは合奏データ」を確認するものであるから、カラオケ装置やカラオケシステムにおいて、「試聴」と呼ばれているものと同義のものと解したが、仮に本願発明の「視聴」が視覚情報を含むものであったとしても、上記周知文献４（特開平１０−３１９９７７号公報）の段落【００３４】に「試聴端末で歌いたい楽曲の歌唱音声を伴奏音楽とともに試聴することができる。同時に、歌詞をディスプレイで確認することができる。」と記載されているように、「合唱データまたは合奏データ」の確認において、歌詞等の視覚情報をあわせて確認することも、周知の技術事項である。
・相違点２について
　引用文献２には、上記３．（２）に既述したように、インターネットを介して、利用者自身が演奏した演奏データのファイルを交換し、互いに合奏するシステムにおいて、「利用者は、インターネット２を介してサーバ１から他者が録音したオーディオデータファイルである演奏データファイル１００をダウンロードし、この演奏データファイル１００を再生ファイルとしてパーソナルコンピュータ３で再生しながら、これに合わせて自分自身も楽器を演奏し、この演奏をパーソナルコンピュータ３に録音させ、（この録音ファイルを再生ファイルに完全同期させるための同期補正処理を行い）、この（補正された）録音データを、サーバ１からダウンロードした再生ファイルにマージしたデジタルオーディオファイルを作成し、これを演奏データファイル１００として、改めてサーバ１にアップロードする」との技術事項が記載されている。そして、引用文献２の「他者が録音したオーディオデータファイルである演奏データファイル」は、他の演奏者に利用される演奏であるから、本願発明の「第１のカラオケ用データ」に相当する。また、「演奏データファイルを再生しながら、これに合わせて自分自身も楽器を演奏し、この演奏を録音させ、この録音データを、サーバ１からダウンロードした再生ファイルにマージしたデジタルオーディオファイルを作成し、これを演奏データファイル」として、改めてサーバにアップロードする「演奏データファイル（マージしたデジタルオーディオファイル）」は、本願発明の「第２のカラオケ用データ」に相当する。
　そうすると、引用文献２には、「第２の端末において、第１のカラオケ用データの、再生手段による再生に応じて録音された第２のカラオケ用データを含む新たなレコードを記憶させる記憶制御手段」の技術事項が示されている。
　そして、引用発明も引用文献２も、インターネットを介して、利用者自身が演奏（歌唱）した演奏（歌唱）データのファイルの提供・入手により、その場に居合わせない者と、合奏（合唱）するシステムであるから、引用発明において、引用文献２の技術事項を用いて、その場には居合わせない様々な人の中から選んだ人の歌声を相手にデュエット曲を楽しみ、そのデュエットが記憶されるように、端末機（３）に「相手プレイヤーの歌唱情報」（第１のカラオケ用データ）の、再生手段による再生に応じて、「プレーヤーの歌唱情報」を含む新たなレコード（第２のカラオケ用データ）を録音し、曲目ＩＤに関連付けて情報管理メモリ（１２）（第２の記憶手段）に記憶させる記憶制御手段を設けることは、当業者が容易になし得たものである。
　そして、本願発明の作用効果も、引用文献１，２及び周知の技術事項から当業者が予測できる範囲のものであって、格別顕著なものがあるとはいえない。 
　なお、請求人は、平成２６年１２月２４日付けの審判請求書において、本願発明の作用・効果として、「本願発明では、公開手段と視聴手段とを設けている。よって、歌唱者は、選択した第１のカラオケ用データを視聴することにより、選択した第１のカラオケ用データに関して納得した上で自身の歌唱を録音することができる。その結果、興趣が損なわれてしまう不具合を低減することが可能となる」旨主張している。
　しかしながら、上記周知文献１ないし４に例示したように、カラオケ装置やカラオケシステムにおいて、利用者がカラオケ用データのリストから、所望のカラオケ用データの選択に際して、選択したカラオケ用データについて、決定（確定）前に、「試聴」により歌や演奏等を確認することは周知の技術事項であり、周知文献１ないし４においても、「歌唱者は、選択したカラオケ用データを試聴することにより、選択したカラオケ用データに関して納得した上で自身の歌唱を行うことができる」という作用・効果を奏することは明らかである。したがって、請求人の上記主張は採用できない。
  
５．むすび 
　以上のとおり、本願の請求項１に係る発明は、特許法第２９条第２項の規定により特許を受けることができない。したがって、その余の請求項について論及するまでもなく、本願は拒絶すべきものである。 
　よって、結論のとおり審決する。